(57)【要約】【課題】輸送ケースを別途用意する必要がなく、材料を効率的に使用でき、ＰＯＰ広告により大きな訴求効果が期待できる輸送ケース兼用ボードを提供する。【解決手段】対向する面板１，２が横方向の一辺で連設され、一方の面板１には、横方向の他辺に重合板３が連設され、一方の面板１から重合板３へ切目線１０を入れることにより、縦方向の側折線１１を介して延出された複数の脚体４が横方向に間隔をあけて形成され、ケース形態とするには、重合板３を、脚体４の部分とともに一方の面板１に対向するように折り曲げ、重合板３に他方の面板２を重ねて閉じ、ボード形態とするには、脚体４の部分を切り起こし、側折線１１を軸に直角に捻って巻き込むように折り曲げ、一方の面板１と他方の面板２とを重合板３を挟んで重ね合わせた状態で、脚体４の先端の差込スリット１２に差し込み、脚体４を下方として起立させる。【選択図】図１
0003227524.tif 000002
【実用新案登録請求の範囲】
【請求項１】
対向する面板(1,2)が横方向の一辺で連設され、前記一方の面板(1)には、横方向の他辺に重合板(3)が連設され、前記一方の面板(1)から前記重合板(3)へ切目線(10)を入れることにより、複数の脚体(4)となる部分が横方向に間隔をあけて形成され、
前記脚体(4)となる部分は、前記一方の面板(1)から前記切目線(10)と起点で交わる縦方向の側折線(11)を介して延出され、先端に差込スリット(12)を有し、
ケース形態とするには、前記重合板(3)を、前記脚体(4)の部分とともに前記一方の面板(1)に対向するように折り曲げ、前記重合板(3)に前記他方の面板(2)を重ねて閉じ、
ボード形態とするには、前記脚体(4)の部分を切り起こし、前記側折線(11)を軸に直角に捻って巻き込むように折り曲げ、前記一方の面板(1)と前記他方の面板(2)とを前記重合板(3)を挟んで重ね合わせた状態で、前記脚体(4)の先端の差込スリット(12)に差し込み、前記脚体(4)を下方として起立させる輸送ケース兼用ボード。
【請求項２】
前記脚体(4)には、前記側折線(11)を介して前記一方の面板(1)に連なる縦ヒンジ部(4a)から先端側へ第１脚立部(4b)、脚底部(4c)及び第２脚立部(4d)が順次設けられ、
前記第１脚立部(4b)、脚底部(4c)及び第２脚立部(4d)は、ボード形態で前記縦ヒンジ部(4a)の側折線(11)の位置を超えて前記脚体(4)の折曲方向とは反対側に張り出し、
前記他方の面板(2)の先端縁に臨む部分には、前記脚体(4)の縦ヒンジ部(4a)が前記側折線(11)を軸とする折り曲げに伴い通過可能な切抜部(2a)が形成されていることを特徴とする請求項１に記載の輸送ケース兼用ボード。
【請求項３】
前記脚体(4)の切目線(10)は、点在する繋部(10a)を有し、ケース形態からボード形態に変形する際、前記繋部(10a)を破断させ、前記脚体(4)を起こすことを特徴とする請求項１又は２に記載の輸送ケース兼用ボード。
【請求項４】
前記一方の面板(1)と前記他方の面板(2)及び前記重合板(3)の間には、それぞれ縁板(5,6)が介在し、前記一方の面板(1)の縦方向の両端辺には、それぞれ縁板(7)及び受止板(8)が順次連設され、
ケース形態において、前記一方の面板(1)から前記縁板(5,6,7)を起立させ、前記受止板(8)を内側へ折り曲げて、前記受止板(8)に前記重合板(3)を重ね合わせ、
ボード形態において、前記脚体(4)の間に位置する前記縁板(6)の中間部を、前記重合板(3)とともに前記一方の面板(1)に重ねて、前記一方の面板(1)と前記他方の面板(2)の間に挟み込むことを特徴とする請求項１乃至３のいずれかに記載の輸送ケース兼用ボード。
【考案の詳細な説明】
【技術分野】
【０００１】
この考案は、物品の輸送と小売店の店頭におけるＰＯＰ広告に兼用可能な輸送ケース兼用ボードに関するものである。
【背景技術】
【０００２】
従来、ＰＯＰ広告用のボードとして、下記特許文献１に記載されたようなものが知られている。このボードは、図８に示すように、面板５１に店頭プロモーションのための印刷を施し、面板５１の下辺に連設された底板５２を前方へ折り曲げ、底板５２の両側端から延びる支持板５３を上方へ折り曲げ、支持板５３の先端の切込５４と、底板５２の両側部の下端の切込５５とを噛み合わせて、面板５１を起立状態に保持するものである。
【０００３】
また、下記特許文献２には、陳列台兼用包装箱として、図９に示すように、天面が開口した中箱６１と、角筒状の外箱６２とからなり、外箱６２に天面から両側面に及ぶ切目線６３と底面を横切る折目線（図示省略）とが入れられ、商品を収納した中箱６１を外箱６２に挿入して、発送元から店舗へ輸送するものが記載されている。
【０００４】
この陳列台兼用包装箱を使用して商品を陳列する際には、図１０に示すように、外箱６２を切目線６３に沿って切断し、折目線６４，６５，６６に沿って屈曲させ、高低差を有する脚台６２ａ，６２ｂを形成し、中箱６１を背が低い脚台６２ａに立てかけた状態で載せ、背が高い脚台６２ｂに凭れさせる。
【先行技術文献】
【特許文献】
【０００５】
【特許文献１】特開平１１−１６１１７１号公報
【特許文献２】実開平２−１０２１７号公報
【考案の概要】
【考案が解決しようとする課題】
【０００６】
しかしながら、上記特許文献１に記載されたＰＯＰ広告用のボードは、新商品の販売促進活動等において、試供品やＰＲ資料等の輸送に使用できないので、別途輸送ケースが必要となり、広告と物流コストが嵩むという問題があるほか、店頭でのＰＯＰ広告に際しても、面板の設置面からの高さが低いので、十分な訴求効果が得られない可能性がある。
【０００７】
また、上記特許文献２に記載された陳列台兼用包装箱は、商品自体を展示するものであり、広告による消費者への訴求を行うことができず、試供品やＰＲ資料の輸送に使用した場合、多重包装であることから、材料の利用に無駄が生じるという問題もある。
【０００８】
そこで、この考案は、新商品のキャンペーン等に際し、試供品やＰＲ資料の輸送ケースを別途用意する必要がなく、材料を効率的に利用でき、ＰＯＰ広告により大きな訴求効果が期待できる輸送ケース兼用ボードを提供することを課題とする。
【課題を解決するための手段】
【０００９】
上記課題を解決するため、この考案は、対向する面板が横方向の一辺で連設され、前記一方の面板には、横方向の他辺に重合板が連設され、前記一方の面板から前記重合板へ切目線を入れることにより、複数の脚体となる部分が横方向に間隔をあけて形成され、
前記脚体となる部分は、前記一方の面板から前記切目線と起点で交わる縦方向の側折線を介して延出され、先端に差込スリットを有し、
ケース形態とするには、前記重合板を、前記脚体の部分とともに前記一方の面板に対向するように折り曲げ、前記重合板に前記他方の面板を重ねて閉じ、
ボード形態とするには、前記脚体の部分を切り起こし、前記側折線を軸に直角に捻って巻き込むように折り曲げ、前記一方の面板と前記他方の面板とを前記重合板を挟んで重ね合わせた状態で、前記脚体の先端の差込スリットに差し込み、前記脚体を下方として起立させる輸送ケース兼用ボードを提供することとしたのである。
【００１０】
また、前記脚体には、前記側折線を介して前記一方の面板に連なる縦ヒンジ部から先端側へ第１脚立部、脚底部及び第２脚立部が順次設けられ、
前記第１脚立部、脚底部及び第２脚立部は、ボード形態で前記縦ヒンジ部の側折線の位置を超えて前記脚体の折曲方向とは反対側に張り出し、
前記他方の面板の先端縁に臨む部分には、前記脚体の縦ヒンジ部が前記側折線を軸とする折り曲げに伴い通過可能な切抜部が形成されているものとしたのである。
【００１１】
また、前記脚体の切目線は、点在する繋部を有し、ケース形態からボード形態に変形する際、前記繋部を破断させ、前記脚体を起こすものとしたのである。
【００１２】
さらに、前記一方の面板と前記他方の面板及び前記重合板の間には、それぞれ縁板が介在し、前記一方の面板の縦方向の両端辺には、それぞれ縁板及び受止板が順次連設され、
ケース形態において、前記一方の面板から前記縁板を起立させ、前記受止板を内側へ折り曲げて、前記受止板に前記重合板を重ね合わせ、
ボード形態において、前記脚体の間に位置する前記縁板の中間部を、前記重合板とともに前記一方の面板に重ねて、前記一方の面板と前記他方の面板の間に挟み込むものとしたのである。
【考案の効果】
【００１３】
この考案に係る輸送ケース兼用ボードでは、試供品やＰＲ資料等の物品を梱包したケース形態として店舗へ輸送し、店頭で開梱した後、脚体の部分を切り起こし、直角に捻って巻き込むように折り曲げ、一方の面板と他方の面板とを重合板を挟んで重ね合わせた状態で、脚体の先端の差込スリットに差し込むことにより、脚体で面板が支持されたＰＯＰ広告用のボード形態へと変形させることができる。
【００１４】
このため、新商品のキャンペーン等に際し、試供品やＰＲ資料の輸送ケースを別途用意する必要がなく、中箱を外箱に挿入するような多重包装とする必要もなく、変形時に切り取って捨てる部分もないので、材料を効率的に利用できる。
【００１５】
また、脚体の長さを適宜に設定することにより、ボード形態において、面板を設置面から任意の高さに浮かして掲示できるので、面板の表面が見やすいものとなり、ＰＯＰ広告としての大きな訴求効果が期待できる。
【図面の簡単な説明】
【００１６】
【図１】この考案に係る輸送ケース兼用ボードのＰＯＰ広告用のボード形態を示す正面側の斜視図
【図２】同上のボード形態を示す背面側の斜視図
【図３】同上のブランクを示す図
【図４】同上のケース形態の梱包状態を示す斜視図
【図５】同上の開梱状態を示す斜視図
【図６】同上のケース形態からボード形態への変形の初期過程を示す斜視図
【図７】同上の変形の中間過程を示す斜視図
【図８】特許文献１に記載のＰＯＰ広告用ボードを示す斜視図
【図９】特許文献２に記載の陳列台兼用包装ケースの中箱と外箱を示す斜視図
【図１０】同上の陳列形態を示す縦断側面図
【考案を実施するための形態】
【００１７】
以下、この考案の実施形態を添付図面に基づいて説明する。
【００１８】
＜実施形態の概要＞
この輸送ケース兼用ボードは、段ボールからなり、図１及び図２にＰＯＰ広告用のボード形態で示すように、横方向に長い対向する面板１，２を備え、面板１，２のケース形態における裏面（ボード形態における表面）には、ケース内に収納する物品に関する広告が印刷されている。
【００１９】
図３にブランクの状態で示すように、対向する面板１，２は、上端の横方向の一辺で連なり、一方の面板１の下端の横方向の他辺には、重合板３が連設されている。そして、一方の面板１から重合板３へ切目線１０を入れることにより、２個の脚体４が横方向に間隔をあけて形成されている。
【００２０】
＜ブランク＞
この輸送ケース兼用ボードのブランクでは、中しんの段目方向が縦方向に向けられ、この方向の強度が他の方向の強度よりも大きくなっている。そして、一方の面板１と他方の面板２の間には縁板５が、一方の面板１と重合板３の間には縁板６がそれぞれ折目線を境界として介在し、一方の面板１の縦方向の両端辺には、それぞれ縁板７及び受止板８が折目線を境界として順次連設されている。
【００２１】
脚体４となる部分は、一方の面板１に切れ込んだ扇形の縦ヒンジ部４ａを基端側とし、先端側へ第１脚立部４ｂ、脚底部４ｃ及び第２脚立部４ｄがそれぞれ折目線を境界として順次設けられたものとされている。縦ヒンジ部４ａは、弧状の切目線１０と起点で交わる縦方向の側折線１１を介して面板１に連なっている。
【００２２】
脚体４の第１脚立部４ｂは、縁板６と重合板３に跨っており、脚底部４ｃは、重合板３の内部に位置している。また、第２脚立部４ｄは、重合板３から突出し、その先端には差込スリット１２が形成され、一方の角部端縁が弧状に切断されている。
【００２３】
縁板６の側折線１１から続く一方の切目線１０は、重合板３へかけて他方の切目線１０から離れるように傾斜し、これにより、第１脚立部４ｂ、脚底部４ｃ及び第２脚立部４ｄは、側折線１１の位置を超えて側方へ張り出している。
【００２４】
脚体４の切目線１０には、ケース形態としたとき、面板１、縁板６及び重合板３から不意に分離しないように、点在する繋部１０ａが設けられている。
【００２５】
また、他方の面板２の先端縁に臨む部分には、脚体４の縦ヒンジ部４ａに対応した扇形の切抜部２ａが形成されている。切抜部２ａは、ケース形態からボード形態への変形に際し、縦ヒンジ部４ａが側折線１１を軸とする折り曲げに伴い通過できるように、縦ヒンジ部４ａより一回り大きくなっている。
【００２６】
＜ケース形態への組立＞
上記のようなブランクを図４に示すケース形態に組み立てて、試供品やＰＲ資料等の物品を梱包するには、一方の面板１の内面上に物品を置き、一方の面板１からその周囲各辺に連なる縁板５，６，７を起立させ、受止板８を内側へ折り曲げ、重合板３を脚体４の部分ととも一方の面板１に対向するように折り曲げて、重合板３の両端部を受止板８に重ね合わせ、重合板３に他方の面板２を重ねて閉じる。
【００２７】
＜ボード形態への変形＞
このようなケース形態で店舗へ物品を輸送し、店頭で開梱する際には、図５に示すように、一方の面板１に対して、他方の面板２、重合板３及び一対の受止板８を開いて、ケースの内部から物品を取り出す。
【００２８】
そして、店頭でＰＯＰ広告用のボード形態へと変形させる際には、ブランクの表裏を反転させ、面板１，２の広告印刷面を表側にして、図６に示すように、受止板８及び重合板３を順次閉じて重ね合わせ、重合板３及び縁板６から脚体４の部分を切目線１０の切断に伴って起こし、縦ヒンジ部４ａと同一面上に第１脚立部４ｂ、脚底部４ｃ及び第２脚立部４ｄが延びるようにする。
【００２９】
次に、図７に示すように、２個の脚体４の間に位置する縁板６の中間部を、重合板３とともに一方の面板１の内面に重ね、重合板３に他方の面板２を重ねて閉じ、脚体４の縦ヒンジ部４ａを、側折線１１を軸として、他方の面板２の切抜部２ａを通過させつつ、一方の面板１に対し捻るように直角に折り曲げ、第１脚立部４ｂ、脚底部４ｃ及び第２脚立部４ｄを巻き込むように折り曲げる。
【００３０】
その後、図１及び図２に示すように、一方の面板１と他方の面板２とを、重合板３及び縁板６を挟んで重ね合わせた状態で、第２脚立部４ｄの差込スリット１２に差し込み、脚底部４ｃを底面として起立させる。
【００３１】
＜効果＞
上記のように、この輸送ケース兼用ボードでは、試供品やＰＲ資料等の物品を梱包したケース形態として店舗へ輸送し、店頭で開梱した後、脚体４の部分を切り起こし、直角に捻って巻き込むように折り曲げ、面板１，２を、重合板３を挟んで脚体４の差込スリット１２に差し込むことにより、ＰＯＰ広告用のボード形態へと変形させることができる。
【００３２】
このため、新商品のキャンペーン等に際し、試供品やＰＲ資料の輸送ケースを別途用意する必要がなく、中箱を外箱に挿入するような多重包装とする必要もなく、変形時に切り取って捨てる部分もないので、材料を効率的に利用できる。
【００３３】
また、脚体４の長さを適宜に設定することにより、ボード形態において、面板１，２を設置面から任意の高さに浮かして掲示できるので、面板１，２の表面が見やすいものとなり、ＰＯＰ広告としての大きな訴求効果が期待できる。
【００３４】
また、ボード形態では、第１脚立部４ｂ、脚底部４ｃ及び第２脚立部４ｄが縦ヒンジ部４ａの側折線１１の位置を超えて、脚体４の折曲方向とは反対側、すなわち背面側に張り出しているので、起立状態で安定し、転倒が防止される。
【００３５】
また、図１に示すように、正面側から見ると、縦ヒンジ部４ａの弧状の端縁と第２脚立部４ｄの弧状の端縁とが揃って見えるので、意匠性にも優れたものとなる。
【００３６】
＜その他のバリエーション＞
なお、上記実施形態では、面板１，２の周囲にケース形態での高さが低い縁板５，６，７を有するものを例示したが、縁板５，６，７の高さは、収納する物品の寸法に応じて適宜に設定すればよく、収納する物品が薄いシート状のものである場合には、縁板５，６，７を省略してもよい。
【００３７】
また、材料として段ボールを用いたものを例示したが、板紙や板紙を積層して貼り合わせた合紙を材料として用いてもよい。
【符号の説明】
【００３８】
１，２  面板
２ａ  切抜部
３  重合板
４  脚体
４ａ  縦ヒンジ部
４ｂ  第１脚立部
４ｃ  脚底部
４ｄ  第２脚立部
５，６，７  縁板
８  受止板
１０  切目線
１０ａ  繋部
１１  側折線
１２  差込スリット
【図１】
0003227524.tif 000003
【図２】
0003227524.tif 000004
【図３】
0003227524.tif 000005
【図４】
0003227524.tif 000006
【図５】
0003227524.tif 000007
【図６】
0003227524.tif 000008
【図７】
0003227524.tif 000009
【図８】
0003227524.tif 000010
【図９】
0003227524.tif 000011
【図１０】
0003227524.tif 000012